(57)【要約】  【課題】部品点数が抑制されるとともに、使用者による組み立て作業が行い易く、使い勝手に優れた扇子を提供する。  【解決手段】扇子Ｓを、第一の扇面板１と第二の扇面板２とを備えたものとし、第一、第二の扇面板１、２の境界部分ｂに直線状の第一の折り曲げ線ｓ１を備え、第二の扇面板２が、側縁部に形成されたスリット状の係合部２１と、基端側の領域に第一の折り曲げ線ｓ１に対して斜めに形成された直線状の第二の折り曲げ線ｓ２とを備えた構成にしている。そして、第二の折り曲げ線ｓ２で折り曲げた場合に第二の扇面板２の係合部２１が第一の扇面板１の側縁部ｅ１に係わり合う使用位置（Ｕ）を採り得るように構成されている。【選択図】図１
0003182803.tif 000002
【実用新案登録請求の範囲】
【請求項１】
第一の扇面板と当該第一の扇面板の基端から連続して設けられた第二の扇面板とを有する単一の紙製シートを折り曲げることにより形成される扇子であって、
前記第一、第二の扇面板の境界部分に直線状の第一の折り曲げ線を有し、この第一の折り曲げ線で折り曲げた場合に前記第二の扇面板が前記第一の扇面板に重なり合う重合位置を採り得るように構成され、
前記第二の扇面板が、側縁部に形成されたスリット状の係合部と、基端側の領域に前記第一の折り曲げ線に対して斜めに形成された直線状の第二の折り曲げ線とを備えてなり、この第二の折り曲げ線で折り曲げた場合に前記第二の扇面板の係合部が前記第一の扇面板の側縁部に係わり合う使用位置を採り得るように構成されていることを特徴とする扇子。
【請求項２】
第一の扇面板と当該第一の扇面板の基端から連続して設けられた第二の扇面板とを有する単一の紙製シートを折り曲げることにより形成される扇子であって、
前記第一、第二の扇面板の境界部分に直線状の第一の折り曲げ線を有し、この第一の折り曲げ線で折り曲げた場合に前記第二の扇面板が前記第一の扇面板に重なり合う重合位置を採り得るように構成され、
前記第一の扇面板が側縁部に形成されたスリット状の係合部を備え、
前記第二の扇面板が、基端側の領域に前記第一の折り曲げ線に対して斜めに形成された直線状の第二の折り曲げ線を備えてなり、この第二の折り曲げ線で折り曲げた場合に前記第一の扇面板の係合部が前記第二の扇面板の側縁部に係わり合う使用位置を採り得るように構成されていることを特徴とする扇子。
【請求項３】
前記第一、第二の扇面板のそれぞれに指を挿通させるための貫通孔が形成されており、これら貫通孔が前記使用位置において相互に重なり合う箇所に形成されている請求項１又は２記載の扇子。
【考案の詳細な説明】
【技術分野】
【０００１】
本考案は、扇子に関する。
【背景技術】
【０００２】
従来から使用時に広い面積の扇面を得られるようにした種々の扇子が開発されている（例えば特許文献１参照）。
【０００３】
ところが、従来のものは、部品点数が多く構造が複雑なものがほとんどであるため、製造するにあたり相応の工数が必要となっていた。しかも、所定の形態に組み立てする作業が極めて煩わしいものとなり、使用者の使い勝手が悪いという不具合があった。
【先行技術文献】
【特許文献】
【０００４】
【特許文献１】特開２０００−３５０６１０号公報
【考案の概要】
【考案が解決しようとする課題】
【０００５】
本考案は、このような課題に着目してなされたものであって、主たる目的は、部品点数が抑制されるとともに、組み立て作業が行い易く、使い勝手に優れた扇子を提供することにある。
【課題を解決するための手段】
【０００６】
すなわち、本考案の扇子は、次の構成をなしている。
【０００７】
請求項１に記載の扇子は、第一の扇面板と当該第一の扇面板の基端から連続して設けられた第二の扇面板とを有する単一の紙製シートを折り曲げることにより形成される扇子であって、前記第一、第二の扇面板の境界部分に直線状の第一の折り曲げ線を有し、この第一の折り曲げ線で折り曲げた場合に前記第二の扇面板が前記第一の扇面板に重なり合う重合位置を採り得るように構成され、前記第二の扇面板が、側縁部に形成されたスリット状の係合部と、基端側の領域に前記第一の折り曲げ線に対して斜めに形成された直線状の第二の折り曲げ線とを備えてなり、この第二の折り曲げ線で折り曲げた場合に前記第二の扇面板の係合部が前記第一の扇面板の側縁部に係わり合う使用位置を採り得るように構成されているものである。
【０００８】
請求項２に記載の扇子は、第一の扇面板と当該第一の扇面板の基端から連続して設けられた第二の扇面板とを有する単一の紙製シートを折り曲げることにより形成される扇子であって、前記第一、第二の扇面板の境界部分に直線状の第一の折り曲げ線を有し、この第一の折り曲げ線で折り曲げた場合に前記第二の扇面板が前記第一の扇面板に重なり合う重合位置を採り得るように構成され、前記第一の扇面板が側縁部に形成されたスリット状の係合部を備え、前記第二の扇面板が、基端側の領域に前記第一の折り曲げ線に対して斜めに形成された直線状の第二の折り曲げ線を備えてなり、この第二の折り曲げ線で折り曲げた場合に前記第一の扇面板の係合部が前記第二の扇面板の側縁部に係わり合う使用位置を採り得るように構成されているものである。
【０００９】
請求項３に記載の扇子は、請求項１又は２に係る構成において、前記第一、第二の扇面板のそれぞれに指を挿通させるための貫通孔が形成されており、これら貫通孔が前記使用位置において相互に重なり合う箇所に形成されているものである。
【考案の効果】
【００１０】
以上説明したように本考案によれば、部品点数が抑制されるとともに、組み立て作業が行い易く、使い勝手に優れた扇子を提供することができる。
【図面の簡単な説明】
【００１１】
【図１】本考案の一実施形態を示す正面図。
【図２】同実施形態を示す正面図。
【図３】同実施形態の展開図。
【考案を実施するための形態】
【００１２】
以下、本考案の一実施形態を、図１〜３を参照して説明する。
【００１３】
この実施形態は、本考案を、あおいで風を得るための扇子Ｓに適用したものである。
【００１４】
扇子Ｓは、図３に示すように、第一の扇面板１と当該第一の扇面板１の基端から連続して設けられた第二の扇面板２とを有する単一の紙製シートＰを、後述する第一の折り曲げ線ｓ１、又は、第二の折り曲げ線ｓ２の何れかで折り曲げることにより形成される。本実施形態の扇子Ｓは、糊等の接着剤を一切使用することなく作られるものである。
【００１５】
紙製シートＰは、一定の厚み寸法を備えているもので、図示しない矩形の用紙から切り抜かれたものである。紙製シートＰは、両面に印刷可能な領域を有しているものであり、任意に両面ないし片面に適宜の印刷ＰＲを施すことができるようになっている。
【００１６】
以下、この扇子Ｓについて詳述する。
【００１７】
第一の扇面板１は、先端縁を円弧状に形成するとともに基端側から先端側に向かって漸次幅寸法が広くなるように形成した板状のものである。第一の扇面板１は、上下幅寸法が左右幅寸法よりも長く設定されており、長手方向に沿って紙目が延びるように構成されている。第一の扇面板１は、基端側の領域１ａに指を挿通させるための貫通孔ｈ１が形成されている。
【００１８】
第二の扇面板２は、第一の扇面板１と近似した形状をなしている。すなわち、第二の扇面板２は、先端縁を円弧状に形成するとともに基端側から先端側に向かって漸次幅寸法が広くなるように形成した板状のものである。第二の扇面板２は、上下幅寸法が左右幅寸法よりも長く設定されており、長手方向に沿って紙目が延びるように構成されている。第二の扇面板２は、基端側の領域２ａに指を挿通させるための貫通孔ｈ２が形成されている。
【００１９】
第一、第二の扇面板１、２の境界部分ｂには直線状をなす第一の折り曲げ線ｓ１が形成されている。
【００２０】
第二の扇面板２は、基端側の領域２ａに第一の折り曲げ線ｓ１に対して斜めに形成された直線状の第二の折り曲げ線ｓ２を備えている。この例では、第二の折り曲げ線ｓ２は、第一の折り曲げ線ｓ１に対して２１°傾斜して設けられている。
【００２１】
第二の扇面板２は、一方の側縁部ｅ２、すなわち図中における右側の側縁部ｅ２にスリット状の係合部２１を備えている。係合部２１は、第一の扇面板１の側縁部に係わり合うためのものであり、第二の扇面板２の外周縁から内部側に向かって延びる線状のスリット部２１ａとこのスリット部２１ａの端部に形成された丸孔２１ｂとを有するものである。
【００２２】
そして、本実施形態の扇子Ｓは、第一の折り曲げ線ｓ１で折り曲げた場合、すなわち、第一の折り曲げ線ｓ１で約１８０°折り曲げた場合には、第二の扇面板２の略全域が第一の扇面板１に重なり合う重合位置（Ｌ）を採り得るように構成されている。一方、第二の折り曲げ線ｓ２で折り曲げた場合、すなわち、第二の折り曲げ線ｓ２で約１８０°折り曲げた場合には、第二の扇面板２の側縁部ｅ２に設けられた係合部２１が第一の扇面板１の他方の側縁部ｅ１、すなわち、図中における左側の側縁部ｅ１に係わり合う使用位置（Ｕ）を採り得るように構成されている。
【００２３】
なお、この実施形態では、第二の折り曲げ線ｓ２で折り曲げた段階において、第一の扇面板１の側縁部ｅ１に係わり合っていない状態の係合部２１は、平面視において第一の扇面板１の側縁部ｅ１の若干内側に位置するように設定されている。このように設定することにより、係合部２１が、用紙の弾性変形によって第一の扇面板１の側縁部ｅ１に確実に係わり合うようにしてある。
【００２４】
また、本実施形態では、第一、第二の扇面板１、２に設けられた貫通孔ｈ１、ｈ２が使用位置（Ｕ）において相互に重なり合う箇所に形成されている。すなわち、第二の扇面板２の側縁部ｅ２に設けられた係合部２１が第一の扇面板１の側縁部ｅ１に係わり合う使用位置（Ｕ）では、二つの貫通孔ｈ１、ｈ２それぞれに手指が挿通可能な状態になっている。
【００２５】
このように、本実施形態に係る扇子Ｓは、第一の扇面板１と当該第一の扇面板１の基端から連続して設けられた第二の扇面板２とを有する単一の紙製シートＰを折り曲げることにより形成されるものであるので、部品数が一つで済むため管理が容易であり、使い勝手に優れたものとなっている。
【００２６】
さらに、紙製シートＰを第一の折り曲げ線ｓ１で折り曲げた場合に第二の扇面板２の略全域が第一の扇面板１に重なり合う重合位置（Ｌ）を採り得るように構成されており、紙製シートＰを第二の折り曲げ線ｓ２で折り曲げた場合に第二の扇面板２の係合部２１が第一の扇面板１の側縁部ｅ１に係わり合う使用位置（Ｕ）を採り得るように構成されている。このため、不使用時には重合位置（Ｌ）に折り畳んでコンパクトにすることができる一方、使用時には使用位置（Ｕ）を採ることで扇面を広く得ることができるのみならず、組み立て作業が行い易く、使い勝手に優れたものとなる。つまり、本実施形態の扇子Ｓは、不使用時にはかさばりが抑制されるものであるため、持ち歩きに好適であり、ハンドバッグや衣服のポケット等にも容易に収納できるようになっている。
【００２７】
第一、第二の扇面板１、２のそれぞれに、指を挿通させるための指掛け用の貫通孔ｈ１、ｈ２が形成されており、これら貫通孔ｈ１、ｈ２が使用位置（Ｕ）において相互に重なり合う箇所に形成されているため、使用者が指をかけて使用することができ利便性が向上するものとなる。さらに、指を二つの貫通孔ｈ１、ｈ２に貫通させておくことで、使用時における第一、第二の扇面板１、２の相互のズレを抑制することができるものとなる。
【００２８】
第一、第二の扇面板１、２が、縦長の形状に形成されており、長手方向に紙目が延びるように構成されているため、風を起こす際に適度なしなりを生じさせ、軽い操作で風を起こすことができるものとなっている。
【００２９】
なお、本考案は、以上に詳述した実施形態に限られるものではない。
【００３０】
例えば、紙製シートは、種々のものを適用することができ、厚み寸法等は適宜設定されるものである。例えば、紙製シートは、ＰＰ加工を施したものであってもよい。
【００３１】
第一、第二の扇面板の形状は、種々の形状を採用することができ、本実施形態に示されるものに限定されるものではない。第二の折り曲げ線の第一の折り曲げ線に対する角度は、第一、第二の扇面板の形状等に合わせて適宜変更されるものであり、本実施形態に示されたものに限定されるものではない。
【００３２】
本実施形態では、第二の扇面板の側縁部にスリット状の係合部を形成していたが、係るものに限定されるものではない。すなわち、第一の扇面板の側縁部にスリット状の係合部を形成するようにしても良い。或いは、第一、第二の扇面板の各側縁部にそれぞれ係合部を形成し、これら係合部同士を係わり合わせるようにしても良い。
【００３３】
折り曲げ線の態様は種々のものを採用することができ、プレスによる折り癖の他にもミシン目であっても良いし、印刷のみによる折り曲げ部分の案内表示であっても良い。
【００３４】
また、スリット状の係合部は、本実施形態に示されるものの他、種々のものが考えられるのはもちろんのことである。
【００３５】
指掛け用の貫通孔の形状は、種々の形状を採用することができ、本実施形態に示されるものに限定されるものではない。
【００３６】
その他、各部の具体的構成についても上記実施形態に限られるものではなく、本考案の趣旨を逸脱しない範囲で種々変形が可能である。
【符号の説明】
【００３７】
１…第一の扇面板
２…第二の扇面板
２１…係合部
２１ａ…スリット部
２１ｂ…丸孔
１ａ、２ａ…基端側の領域
ｈ１、ｈ２…貫通孔
ｅ１、ｅ２…側縁部
Ｐ…紙製シート
Ｓ…扇子
ｓ１…第一の折り曲げ線
ｓ２…第二の折り曲げ線
【図１】
0003182803.tif 000003
【図２】
0003182803.tif 000004
【図３】
0003182803.tif 000005